(57)【要約】【課題】本発明は、吸音通気性及び耐久遮光性に優れた通気遮光ドア及びその取付構造を提供すること。【解決手段】上枠１１と側部堅枠１２と下枠とを有するドア枠の内側部に取付け装着する開閉ドアであって、前記上枠１１及び側部堅枠１１１において、上枠ケーシング材１１１又は側部堅枠ケーシング材１２１は通気部１３お合成樹脂発泡体有し、かつ該通気部１３の近傍又は開閉ドアの当接端部１０が当接する戸当り受け部材１４の表面には、通気弾性体１５を有することを特徴とする通気遮光ドア１である。【選択図】  図１
2004346551.tif 000002
【特許請求の範囲】
【請求項１】
上枠と側部竪枠と下枠とを有するドア枠の内側部に取付け装着する開閉ドアであって、
前記上枠及び側部堅枠において、上枠ケーシング材又は側部竪枠ケーシング材が通気部を有し、かつ該通気部の近傍又は開閉ドアの当接端部が当接する戸当り受け部材の表面には、通気弾性体を有することを特徴とする通気遮光ドア。
【請求項２】
通気弾性体は、繊維構成部材と合成樹脂及び又は合成樹脂発泡体、ゴム弾性体及び又はゴム弾性発泡体とからなることを特徴とする請求項１に記載の通気遮光ドア。
【請求項３】
繊維構成部材は、ガラス繊維、ナイロン繊維、アラミド繊維、ステンレスワイヤ布及び又は繊維糸状体であることを特徴とする請求項１又は請求項２に記載の通気遮光ドア。
【請求項４】
通気部は、略半円形、略三角形、略ひうたん形、略菱形、略長方形、間隙部、略扁平楕円形のいずれか一種又は一種以上であることを特徴とする請求項１、請求項２又は請求項３に記載の通気遮光ドア。
【請求項５】
戸当り受け部材は、堅牢木材、金属部材、竹加工材、合成樹脂形成体のいずれかであることを特徴とする請求項１、請求項２、請求項３又は請求項４に記載の通気遮光ドア。
【請求項６】
上枠ケーシング材と上枠ケーシング材との間隙部に通気弾性体を有し、その近傍にブラケットを配設して、該ブラケットの表面に通気弾性体を有することを特徴とする通気遮光ドアの取付構造。
【請求項７】
側部堅枠ケーシング材の近傍又は表面及び又は内部に戸当り受け部材を有すると共に、該戸当り受け部材の表面及び又は内部において通気弾性体及び又は通気部を有することを特徴とする通気遮光ドアの取付構造。
【発明の詳細な説明】
【０００１】
【発明の属する技術分野】
本発明は、吸音通気性及び耐久遮光性に優れた通気遮光ドア及びその取付構造に関するものである。
【０００２】
【従来の技術】
従来、特許文献１により、図８に示すごとく、開閉ドア９の当接端部９０１において切欠部９２１を有し、側部堅枠９１に光遮蔽体９３を有する「ドアとドア枠との組み合わせ構造」が提案されている。
一方、特許文献２によれば、図９及び図１０に示すごとく、側部堅枠９１の表面にドア枠材９３を取付け装着し、その表面に合成樹脂成形体又はゴム弾性体からなる緩衝材９４を間欠的に配設してなる「換気機能のあるドア枠材」が提案されている。
【０００３】
他方、本出願人は、特許文献３及び図７に示すごとく、下枠１６の一部が上下動する「換気フラッシュドア」を提案する。
いずれの発明も、図１１に示すごとく、開閉ドア９２の当接端部９２１とドア枠９１、９５との間に一定の空隙部９０を設けて通気性を付与するものである。なお、ドア枠９１、９５は柱９６の周縁部に取付け装着されている。
【０００４】
【特許文献１】特開平１１−１８２１５１号公報
【特許文献２】特開平１０−２２０１１８号公報
【特許文献３】特願２００３−９８０２８号
【０００５】
【発明が解決しようとする課題】
しかしながら、特許文献１によれば、「構造が簡単であり、且つ換気制及び光漏れ防止性に優れている」と記載されているが、図８に示すごとく、開閉ドア９の当接端部９０１には切欠部９２１を有し、光遮蔽体９３との間には空隙部９０を有するため、光の強さや入射角によっては、空隙部９０より光が通過する場合もあり得る。
【０００６】
一方、特許文献２に記載された開閉ドア９の「換気機能のあるドア枠材」は、ドア枠材９３に間欠的に緩衝材９４が配設されている。
そのため、見栄えが悪く、当接衝撃が緩衝材９４に集中的又は局部的に働くため、緩衝材９４の摩損が激しく、剥離脱落があり得る場合もある。
【０００７】
他方、特許文献３により提案された「換気フラッシュドア」は、図７に示すごとく、下枠１６の換気機能を向上させるものであって、本発明で提案しようとする上枠１１及び側部堅枠１２において、換気機能を向上させるものではない。
【０００８】
そこで本発明は、前記従来技術の問題点及び未解決の課題に鑑みてなされたものであり、本発明が解決しようとする課題は、開閉ドアの上枠１１及び側部堅枠１２の換気機能及び遮光性を向上させ、更に吸音性や当接衝撃に対する耐久性を向上させた通気遮光ドア及びその取付構造を提供しようとするものである。
【課題を解決するための手段】
上記課題を解決するため、本発明が採った手段は、請求項１〜請求項７の記載に示すとおりのものである。なお、本発明を具体的に説明するため、実施例において使用する図面の符号を用いて、以下に説明する。
【０００９】
まず、請求項１に記載の発明が採った手段は、上枠１１と上枠１２と下枠１６とを有するドア枠の内側部に取付け装着する開閉ドアであって、前記上枠１１及び側部堅枠１２において、上枠ケーシング材１１１又は側部堅枠ケーシング材１２１は通気部１３を有し、かつ該通気部１３の近傍又は開閉ドアの当接端部１０が当接する戸当り受け部材１４の表面には、通気弾性体１５を有することを特徴とする通気遮光ドアを提供しようとするものである。
これにより、吸音通気性及び耐久遮光性に優れた通気遮光ドア１を提供することができる。
【００１０】
また、請求項２に記載の発明が採った手段は、通気弾性体１５は、繊維構成部材と合成樹脂及び又は合成樹脂発泡体、ゴム弾性体及び又はゴム弾性発泡体とからなることを特徴とする通気遮光ドア１を提供しようとするものである。
これにより、吸音通気性及び弾力柔軟性に優れた通気遮光ドア１を提供することができる。
【００１１】
そして、請求項３に記載の発明が採った手段は、ガラス繊維、ナイロン繊維、アラミド繊維、ステンレスワイヤ布及び又は繊維糸状体であることを特徴とする通気遮光ドア１を提供しようとするものである。
これにより、耐衝撃性や屈曲強度などが向上し、耐久性やベンディング特性に優れた通気遮光ドア１を提供することができる。
【００１２】
また、請求項４に記載の発明が採った手段は、通気部１３は、略半円形、略三角形、略ひうたん形、略菱形、略長方形、略扁平楕円形のいずれか一種又は一種以上であることを特徴とする通気遮光ドア１を提供しようとするものである。
これにより、比較的狭い上枠１１の上枠ケーシング材１１１や側部堅枠１２の側部堅枠ケーシング材１２１において、多数の貫通孔としての通気部１３を形成することができる（図２の（イ）〜（ハ）参照）。
【００１３】
請求項５に記載の発明が採った手段は、堅牢木材、金属材料、竹加工材、合成樹脂成形体のいずれかであることを特徴とする通気遮光ドア１を提供しようとするものである。
これにより、当接衝撃性や耐久性に優れた通気遮光ドア１を提供することができる。
【００１４】
そして、請求項６に記載の発明が採った手段は、上枠ケーシング材１１１と上枠ケーシング材１１１との間隙部１３１に通気弾性体１５を有し、その近傍にブラケット１７を配設して、該ブラケット１７の表面に通気弾性体１５を有することを特徴とする通気遮光ドア１を提供しようとするものである。
これにより、光の入射角や強度の大小の如何にかかわらず、光の屈折性は生じないため、遮光性に優れた通気遮光ドア１を提供することができる（図１及び実施例１参照）。
【００１５】
請求項７に記載された発明が採った手段は、側部堅枠ケーシング材１２１の近傍又は表面及び又は内部に戸当り受け部材１４又は通気部１３を有すると共に、該戸当り受け部材１４の表面及び又は内部に通気弾性体１５及び又は通気部１３を有することを特徴とする通気遮光ドア１を提供しようとするものである。
これにより、側部堅枠１２の側部堅枠ケーシング材１２１に配設した戸当り受け部材１４は、その表面又は内部において通気弾性体１５又は通気部１３を有することを特徴とする通気遮光ドア１を得ることができる。特に通気遮光ドア１の開閉時における微小な風圧変動（空気の移動）による換気性を向上することができる。
【００１６】
【発明の実施の形態】
本発明の実施の形態につき、請求項１〜７及び実施例１〜４に対応させながら、特に実施例で使用する図面に基づいて、本発明の各種態様を具体的に説明する。
まず、図７は、本発明の通気遮光ドア１における換気機能及び遮光機能を従来技術よりも向上させる上枠１１及び側部堅枠１２に関する通気遮光ドアの正面図である。そのため、本発明は特許文献３に記載の「換気フラッシュドア」のごとく、下枠１６の換気機能を向上させるものとは異なる。
【００１７】
次に、図１は、実施例１に係る通気遮光ドア１の特に上枠１１の略中央部における横（水平方向の）断面図を示すものである。
【００１８】
ここで注目すべことは、左右略対象の上枠１１、１１の略中央部において通気部１３及び間隙部１３１を設けたことである。これにより、光の強度や入射角度の大小にかかわらず、通気遮光ドア１における上枠１１及び上枠ケーシング材１１１より光が通過して洩れることはない。その反面、ドアの閉止時においても、常にドアの両面側、例えば外気と室内、部屋と部屋との双方空間部において通風ないしは換気が可能となり、住宅生活環境を向上させることができる。
【００１９】
また、請求項６に記載の発明の如く、上枠ケーシング材１１１と上枠ケーシング材１１１との間隙部１３１を有し、その近傍にブラケット１７を配設して、該ブラケット１７の表面に通気弾性体１５を配設している。そのため、通気遮光ドア１の開閉時に生じる当接衝撃が直接に上枠１１及び上枠ケーシング材１１１に伝わることなく、ブラケット１７を介在して当接衝撃が緩和され、低下するため、上枠１１及び上枠ケーシング材１１１の衝撃耐久性等を向上することができる。
【００２０】
そして、戸当り受け部材１４は接着剤１８又は接合金具（図示略）を介在してブラケット１７の表面に取付け装着されている。また、戸当り受け部材１４は通気弾性体１５により構成されているため、取付構造が簡素化されると共に、吸音通気性及び耐久遮光性に優れた通気遮光ドア１を得ることができる。
【００２１】
ここで最も注目すべきことは、請求項１〜請求項３に記載されている如く、上記通気弾性体１５は、繊維構成部材、合成樹脂及び又は合成樹脂発泡体、ゴム弾性体及び又はゴム弾性発泡体により構成されていることである。これにより、特に吸音通気性及び弾力柔軟性に優れた通気遮光ドア１を得ることが出来る。また、繊維構成部材はガラス繊維、ナイロン繊維、アラミド繊維、ステンレスワイヤ布及び又は繊維糸状体であることを特徴としている。そのため、強化プラスチックス複合体（Ｆ−Ｒ−Ｐ）の如く、耐衝撃性、圧縮強度、屈曲強度及び弾力柔軟性（ベンディング特性）、引張り強度、ロックウェル硬度が向上し、寸法安定性ひいては接合力や耐久性に優れることになる。
【００２２】
一方、繊維糸状体としては、例えば晒パルプ、芭蕉布又は繊維糸、麻、こうぞう、みつまた等の自然高強度繊維状物、或いは、ステンレスワイヤー又はこれを用いた布状物を使用することが出来る。また、ナイロン繊維、アラミド繊維などの原料紡糸物又はその混紡布を混入することが出来る。
【００２３】
そして、ここで注目すべきことは、上記繊維糸状体又は布状物を和紙を抄造する原理を応用して、トロロアオイ、カルボキシルメチルセルロース（Ｃ・Ｍ・Ｃ）、ポリビニルアルコール（Ｐ・Ｖ・Ａ）、ポリリン酸ソーダの如き粘稠物を混入して抄造成形することにより、水中（液体）分散性を向上させると共に、繊維表面に上記粘稠物が被覆されることにより、繊維相互の絡みを生じさせて、抄造シート状物を容易に得ることである。
これにより、通常抄造が困難とされている、ナイロン繊維、アラミド繊維、ステンレスワイヤ布、ガラス繊維が混入されていても、通気性を有するシート状物を得ることが出来る。
【００２４】
また、合成樹脂発泡体やゴム弾性発泡体の中に、上記繊維構成部材や繊維糸状体を混入することによっても、通気性を有し、弾力柔軟性に優れた通気弾性体１５を得ることが出来る。
そして、比較的軽量な強化プラスチックスの如き、前記諸物理特性に優れた通気弾性体１５を得ることも出来る。
【００２５】
一方、上記通気弾性体１５は、図１〜図３に示すごとく、裏面側において、革布、合成樹脂シート状、ガラス繊維布のごとき接着に際しても作業性を向上させ、かつ図５に示すごとく、通気部１３としての凹凸面において接合することが出来る緩衝性基材１５１を有する特徴もある。
【００２６】
次に、図２の（イ）、（ロ）、（ハ）は、請求項４に記載された発明に対応するごとく、各種形状、例えば略半円形、略三角形、略ひうたん形、略菱形、略長方形及び略扁平楕円形などの比較的狭い場所においても、上枠１１、上枠ケーシング材１１１又は側部堅枠１２、側部堅枠ケーシング材１２１などにおいて、通気部１３としての貫通孔を有する。
【００２７】
そして、図２に示すごとく、これらの通気部１３は、上記緩衝性基材１５１の近傍においても略長方形の導通孔１３０を有する。これにより、左右略称の上枠１１、１１に形成された一対の通気部１３、１３は相互に導通することになる。これにより、図１に示すごとく、上枠ケーシング材１１１に形成された通気部１３にも導通することになり、通気遮光ドア１の開閉にかかわりなく、上枠１１において、外気と屋内、部屋と部屋との相互の換気機能を十分に発揮することが出来る。
【００２８】
そのため、本発明によれば、住宅生活環境の向上を図り、人、特に老人や子供にやさしい生活環境を構築することが出来る。また、上記通気弾性体１５は、弾力柔軟性に優れているため、吸音通気性及び耐久遮光性に優れ、この点でも人にやさしい生活環境を構築することが出来る。
【００２９】
なお、図２の（イ）及び（ハ）に示すごとく、通気弾性体１５には繊維糸状体１５２が散在しており、図２の（ロ）に示すごとく、通気弾性体１５には、ガラス繊維、ナイロン繊維、アラミド繊維、ステンレスワイヤ布などの布状物１５３が配設されており、通気遮光ドア１の開閉ドアの当接衝撃を緩和し、低下させることが出来る。
また、圧縮強度や屈曲強度（ベンディング特性）も向上させることが出来る。
【００３０】
次に、図３（ニ）、（ホ）、（ヘ）は、各種態様の上記通気弾性体１３の縦断面図である。通気弾性体１５の表面又は裏面には、図３の（イ）、（ロ）、（ハ）に示すごとく、波状凹凸部を有している。これにより、通気遮光ドア１の開閉ドアの閉止時における通気弾性体１３に対する当接端部１０による当接衝撃を緩和させ、低下することが出来る。
【００３１】
また、通気弾性体１３の表面又は裏面においては、上記緩衝性基材１５１を有する。これにより、接着作業性を向上させたり、当接端部１０の当接衝撃を緩和させ、低下することが出来る。
特に、図３の（ハ）に示すごとく、側部堅枠ケーシング材１２１の表面側において、通気部１３としての略半円形の凹凸部１２２を有する場合には、接着時又は接着後において、好都合である。
【００３２】
そして、図４は、請求項７に記載された発明及び実施例２に対応する、通気遮光ドア１の側部堅枠１２及び側部堅枠ケーシング材１２１の表面において、戸当り受け部材１４及び通気弾性体１５を取付け装着した状態の横（水平方向の）断面図である。ここで特に注目すべきことは、上記通気弾性体１５は、竹材繊維、ガラス繊維、ナイロン繊維、アラミド繊維、ステンレスワイヤ布などを混入させた繊維構成部材をトロロアオイなどの前記粘稠性物質を用いて、抄造成形したシート状物１５５であることである。これにより、戸当り受け部材１４に形成された通気部１３は通気弾性体１５である上記シート状物１５５の導通孔（図示略）と導通することにより、特に吸音通気性を向上させることが出来る。
【００３３】
図５は、実施例３に対応する通気遮光ドア１の側部堅枠１２及び側部堅枠ケーシング材１２１の一部縦断面斜視図である。
側部堅枠１２の表面には、略半円形状の通気部１３が多数形成されている。そして、この略半円形状凹凸の通気部１３の表面において、通気弾性体１５を取付け装着する状態を示している。
【００３４】
通気弾性体１５を通気部１３の表面に取付け装着するに当っては、通気弾性体１５の裏面側において緩衝性基材１５１を有するため、接着接合に好都合である。通気弾性体１５の伸縮や変形などが少なくなるからである。
【００３５】
次に、図６は、実施例４に対応する通気遮光ドア１の側部堅枠１２及び側部堅枠ケーシング材１２１の別態様の斜視図である。
ここで注目すべきことは、戸当り受け部材１４及び通気弾性体１５には相互に導通した通気部１３が形成されていることである。
【００３６】
そのためには、通気弾性体１５は図４及び実施例２において使用する抄造成形された特に通気性に優れたシート状物１５５を用いることが好ましい。通気弾性体１５中に通気部１３を特段形成する必要がないからである。
【００３７】
また、注目すべきことは、上記通気弾性体１５は略湾曲略長方形状に形成されていることである。そして、これに対応させて通気遮光ドア１の当接端部１０においても、やや湾曲切欠部１０１が形成されている。そして、上記戸当り受け部材１４は、カシ、ならなどの広葉樹又は落葉樹からなる堅牢木材又は竹加工材などの自然資材を使用することが好ましい。家具や建築資材の加工中に生じる端尺木片などを有効利用することが出来るからである。また、側部堅枠１２の表面に戸当り受け部材１４を取付け装着するに当って、接着剤１８の選択や種類上、好都合だからである。
【００３８】
一方、上記側部堅枠１２は、アルミニウム合金やチタン合金などの比較的軽量な金属材料又はポリカーボネイト樹脂やポリウレタン樹脂などの比較的柔軟性や接着性に優れた合成樹脂成形体を使用することが好ましい。接着剤１８の選択や通気部１３の形成作業能率上、好都合だからである。
【００３９】
なお、図６は、通気遮光ドア１の上端部近傍及び側部堅枠１２としてのドア枠の上端部の一部模試的形状の斜視図を示すものであり、この形状の応用変形も可能である。
また、側部堅枠１２及び側部堅枠ケーシング材１２１は、上記堅牢木材や木材繊維方向が多数方向に配列された寸法安定木材としての集成材等を使用することが好ましい。寸法変化や反り、ねじれなどの応力変形を防ぎ、ドア間口内の寸法に適応させた比較的長尺の通気遮光ドア１いのける側部堅枠１２及び側部堅枠ケーシング材１２１を形成することが出来るからである。
【００４０】
図６においては、側部堅枠１２と側部堅枠ケーシング材１２１の接合部材を使用した態様を示しているが、これらは前記寸法安定剤としての集成材等により一体成形されたものを使用することも出来る。また、上枠１１及び上枠ケーシング材１１１（図１参照）及び通気遮光ドア１（図７参照）全体も広葉樹又は落葉樹からなる集成材を使用することが好ましい。家具などの制作時に生じる端尺木片や木造建築物の廃材の有効利用が出来るからである。
【００４１】
図７は、実施例１〜実施例４において共通する本発明に係る通気遮光ドア１の全体を示す正面図である。特に、本発明においては、実施例１に例示するごとく、上枠１１及び上枠ケーシング材１１１と側部堅枠１２及び側部堅枠ケーシング材１２１において、通気部１３（図示略）及び通気弾性体１５（図示略）を使用した通気遮光ドア１及びその取付構造を提供するものである。従って、特許文献３により提案した「換気フラッシュドア」の下枠１６の通気、換気機能を向上させたものとは異なる。
【００４２】
以下に、本発明の好ましい実施例１〜４について、図面を用いて具体的に説明する。なお、実施例１〜４は、本発明の一実施態様であって、本発明の技術的範囲は、これらに拘束されるものではなく、更に変形や改良も可能である。
【００４３】
（実施例１）
本例の実施例は、図１及び図７に示すごとく、開閉ドアの上枠１１及び上枠ケーシング材１１１の吸音通気性及び耐久遮光性に優れた通気遮光ドア１及びその取付構造を提供するものである。
まず、図１に示すごとく、通気遮光ドア１に係る上枠１１、１１は、左右一対の略同一形状の上枠１１とこれに隣接配置された上枠ケーシング材１１１とブラケット１７とから構成されている。
【００４４】
上記上枠１１、１１は、略中央部において通気部１３及び間隙部１３１を有し、またこれに隣接配置された上枠ケーシング材１１１を有する。
上記上枠１１及び上枠ケーシング材１１１には、それぞれ略扁平楕円形状の通気部１３が形成されている。また、上枠１１に隣接配置されブラケット１７を有し、該ブラケット１７は通気遮光ドア１の当接端部１０が開閉時に当接する戸当り受け部材１４としての通気弾性体１５を有する。この通気弾性体１５は、戸当り受け部材１４を兼ね備えるものであるため、剛性に優れかつ硬度の高い合成樹脂成形体よりなる。
【００４５】
例えば、ガラス繊維、ナイロン繊維、アラミド繊維、ステンレスワイヤ布とジアリルフタレート樹脂、ポリカーボネイト樹脂又はポリウレタン樹脂との押出成形品又は金型加圧成形体よりなる。弾力柔軟性や接着性に優れており、上記ポリカーボネイト樹脂又はポリウレタン樹脂からなるブラケット１７との接着性のなじみに優れているからである。
【００４６】
また、通気遮光ドア１の当接端部１０の閉止時に生じる当接衝撃性、寸法安定性、引張り強度、屈曲性が優れている。
ここで、本例において使用するガラス繊維とジアリルフタレート樹脂とからなる強化プラスチック成形品としての諸物性を例示する。
【００４７】
引張り強度は、２，０００〜３，５００キログラム平方センチメートル、伸び率（寸法変化率）は０．５〜１．５％、圧縮強度は１，７５０〜３，５００キログラム平方センチメートル、衝撃値は２，８００〜５，６００キログラム・センチ・センチメートル当り、ロックウェル硬度はＭ８０〜１２０の諸物性を有する。なお、上記諸物性を一定の範囲（レンジ）で示した理由は、測定時のバラツキと、実施例１〜実施例４において使用する各種構成材により、諸物性が異なるからである。
【００４８】
本例において使用した通気弾性体１５は、上記諸物性値の上限値に近いものであって、戸当り受け部材１４を兼ねた通気弾性体１５として最適のものである。これにより、特に諸物理的特性、吸音通気性、耐久遮光性に優れた通気遮光ドア１を得ることが出来る。
また、上記側部堅枠１２及び上枠ケーシング材１１１は、寸法安定性に優れた集成材及びこれを使用したランバ合板からなるドア枠を構成した。また、通気遮光ドア１の全体も同様に構成した。
【００４９】
したがって、本例によれば、吸音通気性及び耐久遮光性に優れ、かつ寸法安定性にも優れた通気遮光ドア１を得ることが出来る。そして、循環利用型社会において、リサイクル利用上好ましい通気遮光ドア１を提供することが出来る。
【００５０】
なお、図２に示すごとく、実施例１〜実施例４、特に上枠１１、１１の略中央部において形成する通気弾性体１５は、各種形状、例えば略三角形（図２の（イ）、略半円形（図２の（ロ））、略ひうたん形（図２の（ハ））に示す形状の通気部１３を有する側部堅枠ケーシング材１２１を使用することが出来る。
また、左右略一対の側部堅枠ケーシング材１２１、１２１の中間部には、繊維糸状体１５２又は繊維状物１５３を有する通気弾性体１５が取付け装着されている。また、図３に示すごとく、実施例１〜実施例４においては、表面側に波形凹凸表面１５４を有する通気弾性体１５を使用することが出来る。なお、図３の（ヘ）に示した通気弾性体１５は、後述する実施例４において使用する態様のものである。
この他にも、上記実施例１において使用する抄造成形されたシート状物１５５としての通気弾性体１５も使用することが出来る。
【００５１】
（実施例２）
本例は、図４（平面図）に示すごとく、側部堅枠１２及び側部堅枠ケーシング材１２１の上方より見た通気遮光ドア１を提供するものである。
側部堅枠１２の片面には、側部堅枠ケーシング材１２１を有し、他方の片面には戸当り受け部材１４を兼ね備えた通気弾性体１５を取付け装着してある。また、この通気弾性体１５の表面側（通気遮光ドア１の当接端部１０側）には、ガラス繊維、ナイロン繊維、アラミド繊維、ステンレスワイヤ布、竹繊維のいずれか１種以上とポリウレタン樹脂、ポリエステル樹脂を接合剤として使用した布状の抄造成形物からなる通気弾性体１５を有する。
【００５２】
また、側部堅枠１２及び側部堅枠ケーシング材１２１からなるドア枠及びドア本体（図７参照）は、実施例１において使用した寸法安定性に優れた集成材及びこれをサンドイッチ構造により形成したランバー合板を使用した。通気弾性体１５の本体は、ガラス繊維混入のポリウレタン樹脂等の合成樹脂成形体により構成したものである。
【００５３】
したがって、本例によれば、実施例１と同様に、寸法安定性、吸音通気性及び下枠に優れた通気遮光ドア１を得ることが出来ると共に、特に通気性、弾力柔軟性が優れた通気遮光ドア１を得ることが出来た。
【００５４】
（実施例３）
本例は、図５に示すごとく、側部堅枠１２及び側部堅枠ケーシング材１２１と、その側面である凹凸表面状に取付け装着された通気弾性体１５とよりなる通気遮光ドア１（図３の（ヘ）も参照）を提供するものである。
【００５５】
上記側部堅枠１２の表面には、略半円形の通気部１３が多数形成されている。そして、この凹凸状の表面には、合成樹脂発泡体又はゴム弾性発泡体からなる通気弾性体１３が取付け装着されている。また、通気弾性体１３の接着面側には緩衝性基材１５１を有する。
【００５６】
そして、通気弾性体１３お合成樹脂発泡体接着するに当っては、ゴム系の接着剤１８、例えばブタジエン系樹脂接着剤を使用した。通気弾性体１３となじみ接着性に優れると共に、凹凸表面からなる通気部１３及び平滑面１３２の形状になじみ接着できる弾力柔軟性を有するからである。
したがって、本例によれば、特許文献２に記載されたドア枠９とは異なり、外観上見栄えの良い通気遮光ドア１を得ることが出来る。
【００５７】
側部堅枠１２及び側部堅枠ケーシング材１２１は、カシやナラなどの広葉樹又は落葉樹からなる堅牢木材を使用した他は、実施例１及び実施例２と同様に構成した。
したがって、本例によれば、見栄えが良く、弾力柔軟性、吸音通気性及び耐久遮光性に優れた通気遮光ドア１を得ることが出来る。
【００５８】
（実施例４）
本例は、図６に示すごとく、断面が湾曲略長方形の通気弾性体１３及びこれに対応した形状の当接端部１０を有する通気遮光ドア１を提供するものである。
ここで注目すべきことは、戸当り受け部材１４及び通気弾性体１５には、相互に連通した通気部１３を有することである。
【００５９】
ところで、通気部１３は、前記実施例２と同様に抄造成形した特に通気性に優れた通気弾性体１５を使用するものである。そのため、特に通気弾性体１５内に通気部１を形成しなくても、吸音通気性及び耐久遮光性に優れた通気遮光ドア１を得ることが出来る。
【００６０】
したがって、本例によれば、弾性柔軟性、吸音通気性及び耐久遮光性に優れ、かつ外観上見栄えの良い通気遮光ドア１を得ることが出来る。そのため、従来のドア枠９（図９参照）とは異なるものである。
【００６１】
【発明の効果】
本発明は、請求項１〜請求項７に記載された発明により構成されているため、次に示すような諸々の効果を奏するものである。
まず、請求項１に記載された発明によれば、吸音通気性及び耐久遮光性に優れた通気遮光ドア１を提供することが出来る。
また、請求項２に記載された発明によれば、吸音通気性弾力柔軟性に優れた通気遮光ドア１を得ることが出来る。
【００６２】
そして、請求項３に記載された発明によれば、耐衝撃性や屈曲強度などが向上し、耐久性やベンディング特性に優れた通気遮光ドア１を提供することが出来る。
また、請求項４に記載された発明によれば、比較的狭い上枠１１の上枠ケーシング材１１１や側部堅枠１２の側部堅枠ケーシング材１２１において、多数の貫通孔としての通気部１３を形成することが出来る。
【００６３】
請求項５に記載された発明によれば、当接衝撃性や耐久性に優れた通気遮光ドア１を提供することが出来る。
また、請求項６に記載された発明によれば、光の入射角や強度の大小の如何にかかわらず、光の屈曲性は生じないため、遮光性に優れた通気遮光ドア１を得ることが出来る。
【００６４】
そして、請求項７に記載された発明によれば、側部堅枠１２の側部堅枠ケーシング材１２１に配設した戸当り受け部材１４は、その表面及び又は内部において、通気弾性体１５及び又は通気部１３を有することを特徴とする通気遮光ドア１を得ることが出来る。
特に、通気遮光ドア１の開閉時における微少な風圧変動（空気の移動）による換気性を向上することが出来る。
以上に記載のごとく、本発明によれば、吸音通気性及び耐久遮光性に優れ、かつ見栄えが良く、弾力柔軟性等に優れた通気遮光ドア１をも得ることが出来る。
【図面の簡単な説明】
【図１】本発明の実施例１に係る通気遮光ドアの上枠及び上枠ケーシング材の横（水平方向の）断面図である。
【図２】本発明において使用される各種態様の実施例１に係る側部堅枠ケーシング材に取付け装着された通気弾性体の斜視図である。
【図３】本発明において使用される各種態様の通気弾性体の中央部分の一部断面図である。
【図４】本発明の実施例２に係る側部堅枠及び側部堅枠ケーシング材の横（水平方向の）断面図である。
【図５】本発明の実施例３に係る側部堅枠及び側部堅枠ケーシング材の別態様の斜視図である。
【図６】本発明の実施例４に係る通気遮光ドアの上枠及び側部堅枠ケーシング材の上方部の一部斜視図である。
【図７】本発明の実施例１〜実施例４に係る通気遮光ドアの全体を示す正面図である。
【図８】特許文献１に係る開閉ドア及びドア枠の上方部の一部斜視図である。
【図９】特許文献２に係るドア枠の一部斜視図である。
【図１０】特許文献２に係るドア枠の開閉ドアの閉止状態を示す一部斜視図である。
【図１１】従来のドア枠の上方より見たドア枠及び開閉ドアの閉止状態を示す平面図である。
【符号の説明】
１      通気遮光ドア
１０        当接端部
１１        上枠
１１１    上枠ケーシング材
１２        側部堅枠
１２１    側部堅枠ケーシング材
１３        通気部
１３１    間隙部
１４    戸当り受け部材
１５        通気弾性体
１５２    繊維糸状体
１６        下枠
１７        ブラケット
【図１】
2004346551.tif 000003
【図２】
2004346551.tif 000004
【図３】
2004346551.tif 000005
【図４】
2004346551.tif 000006
【図５】
2004346551.tif 000007
【図６】
2004346551.tif 000008
【図７】
2004346551.tif 000009
【図８】
2004346551.tif 000010
【図９】
2004346551.tif 000011
【図１０】
2004346551.tif 000012
【図１１】
2004346551.tif 000013